(57)【要約】【課題】住人の操作に依らずに、外出時の施錠忘れなどを住人に知らせることができる施錠管理装置、およびそれを用いた施錠管理システムを提供する。【解決手段】施錠管理装置１は、第１入力部１１と、第２入力部１２と、推定部１３と、処理部１４とを備えている。第１入力部１１は、建物の開口部の施錠と解錠との別を表す施解錠情報を入力する。第２入力部１２は、建物に設けられた電気負荷で消費されている電力値に関する電力情報を入力する。推定部１３は、上記電力情報に基づいて人の行動を推定する。処理部１４は、推定部１３の推定結果と上記施解錠情報とを関連付けて所定の処理を行うように構成されている。【選択図】図１
2016051404.tif 000002
【特許請求の範囲】
【請求項１】
建物の開口部の施錠と解錠との別を表す施解錠情報を入力する第１入力部と、
前記建物に設けられた電気負荷で消費されている電力値に関する電力情報を入力する第２入力部と、
前記電力情報に基づいて人の行動を推定する推定部と、
前記推定部の推定結果と前記施解錠情報とを関連付けて所定の処理を行う処理部とを備える
ことを特徴とする施錠管理装置。
【請求項２】
前記第１入力部および前記第２入力部を含むローカル装置と、前記推定部を含むセンタ装置とに分かれており、
前記ローカル装置と前記センタ装置とは、ネットワークを介して通信可能に構成されている
ことを特徴とする請求項１に記載の施錠管理装置。
【請求項３】
前記処理部は、前記推定部の推定結果と前記施解錠情報との組み合わせが、特定の組み合わせに該当するか否かを判定するように構成されている
ことを特徴とする請求項１または２に記載の施錠管理装置。
【請求項４】
前記推定部は、少なくとも前記建物内の人の在、不在を前記行動として推定しており、
前記処理部は、前記推定部の推定結果が不在を表しており、且つ前記施解錠情報が解錠を表している場合には、前記推定部の推定結果と前記施解錠情報との組み合わせが前記特定の組み合わせに該当すると判定して、報知を行うように構成されている
ことを特徴とする請求項３に記載の施錠管理装置。
【請求項５】
前記推定部の推定結果と前記施解錠情報とを時系列に従って記憶する記憶部をさらに備える
ことを特徴とする請求項１〜４のいずれか１項に記載の施錠管理装置。
【請求項６】
前記処理部は、前記記憶部に記憶されている所定期間の前記推定部の推定結果および前記施解錠情報の履歴を関連付けて出力するように構成されている
ことを特徴とする請求項５に記載の施錠管理装置。
【請求項７】
請求項１〜６のいずれか１項に記載の施錠管理装置と、
前記建物の前記開口部の施錠と解錠との別を検知し、前記施解錠情報を前記施錠管理装置に出力する検知装置とを備える
ことを特徴とする施錠管理システム。
【発明の詳細な説明】
【技術分野】
【０００１】
本発明は、建物の開口部の施解錠を管理する施錠管理装置、およびそれを用いた施錠管理システムに関する。
【背景技術】
【０００２】
従来、住戸の扉や窓等の出入り口の施錠忘れがあった場合に、住人に連絡し、施錠を促す施錠管理装置が提案されている（たとえば特許文献１参照）。特許文献１に記載の施錠管理装置（住宅情報盤）は、出入り口である玄関ドアの錠の施錠／解錠状態を検知する検知部の検知信号を取り込み、施錠忘れの判断結果に基づいて住人へ施錠忘れを通報するように構成されている。
【０００３】
この施錠管理装置は、防犯警戒セットスイッチもしくは留守セットスイッチが操作されてから一定時間経過した時点で施錠状態を示す検知信号の有無をチェックし、検知信号の入力が無ければ、施錠忘れと判断して住人へ通報する。なお、防犯警戒セットスイッチは、住宅情報盤の防犯機能をセットするために設けられたスイッチであり、留守セットスイッチは、留守時にロビーインターホンからの来訪者の音声を録音あるいはカメラの映像を録画するように設定するためのスイッチである。
【先行技術文献】
【特許文献】
【０００４】
【特許文献１】特開２００９−１４６４４９号公報
【発明の概要】
【発明が解決しようとする課題】
【０００５】
ところで、特許文献１に記載の施錠管理装置は、防犯警戒セットスイッチあるいは留守セットスイッチに対する住人の操作があってから一定時間で施錠忘れの判断を行うので、住人の操作があって初めて施錠忘れの発見が可能になる。すなわち、住人が防犯警戒セットスイッチおよび留守セットスイッチの操作を怠った（あるいは忘れた）場合には、施錠管理装置は、施錠忘れの判断を行うことはなく、当然ながら施錠忘れの通報も行わない。
【０００６】
本発明は上記事由に鑑みて為されており、住人の操作に依らずに、外出時の施錠忘れなどを住人に知らせることができる施錠管理装置、およびそれを用いた施錠管理システムを提供することを目的とする。
【課題を解決するための手段】
【０００７】
本発明の施錠管理装置は、建物の開口部の施錠と解錠との別を表す施解錠情報を入力する第１入力部と、前記建物に設けられた電気負荷で消費されている電力値に関する電力情報を入力する第２入力部と、前記電力情報に基づいて人の行動を推定する推定部と、前記推定部の推定結果と前記施解錠情報とを関連付けて所定の処理を行う処理部とを備えることを特徴とする。
【０００８】
本発明の施錠管理システムは、上記の施錠管理装置と、前記建物の前記開口部の施錠と解錠との別を検知し、前記施解錠情報を前記施錠管理装置に出力する検知装置とを備えることを特徴とする。
【発明の効果】
【０００９】
本発明は、住人の操作に依らずに、外出時の施錠忘れなどを住人に知らせることができる、という利点がある。
【図面の簡単な説明】
【００１０】
【図１】実施形態１に係る施錠管理装置の構成を示すブロック図である。
【図２】実施形態１に係る施錠管理装置の使用例を示す概略図である。
【図３】実施形態１に係る施錠管理装置の動作例の説明図である。
【図４】実施形態１に係る施錠管理装置の動作例の説明図である。
【図５】実施形態２に係る施錠管理装置の構成を示すブロック図である。
【発明を実施するための形態】
【００１１】
（実施形態１）
本実施形態に係る施錠管理装置１は、図１に示すように、第１入力部１１と、第２入力部１２と、推定部１３と、処理部１４とを備えている。
【００１２】
第１入力部１１は、建物２（図２参照）の開口部の施錠と解錠との別を表す施解錠情報を入力する。第２入力部１２は、建物２に設けられた電気負荷３（図２参照）で消費されている電力値に関する電力情報を入力する。推定部１３は、上記電力情報に基づいて人の行動を推定する。処理部１４は、推定部１３の推定結果と上記施解錠情報とを関連付けて所定の処理を行うように構成されている。
【００１３】
ここで、処理部１４が行う所定の処理は、たとえば推定部１３の推定結果と上記施解錠情報とを並べて表示する処理や、推定部１３の推定結果と上記施解錠情報との組み合わせが特定の組み合わせに該当するか否かを判定する処理である。処理部１４は、推定部１３の推定結果と上記施解錠情報との組み合わせが特定の組み合わせに該当すると判定した場合には、報知を行うように構成されていてもよい。また、ここでいう建物２の開口部とは、建物２の内と外とを隔てる扉や窓であって、たとえば図２における玄関扉２１や窓２２などである。
【００１４】
また、本実施形態に係る施錠管理システム１０は、施錠管理装置１と、検知装置４とを備えている。検知装置４は、建物２の上記開口部の施錠と解錠との別を検知し、上記施解錠情報を施錠管理装置１に出力するように構成されている。つまり、施錠管理装置１は、検知装置４から出力される施解錠情報を第１入力部１１で受けるように構成されている。
【００１５】
なお、図１の例では、施錠管理システム１０は、電気負荷３で消費されている電力値を計測する計測装置５をさらに備えている。計測装置５は、電力値を計測して上記電力情報を施錠管理装置１へ出力するように構成されている。つまり、施錠管理装置１は、計測装置５から出力される電力情報を第２入力部１２で受けるように構成されている。
【００１６】
この構成によれば、施錠管理装置１および施錠管理システム１０は、電気負荷３で消費されている電力値に関する電力情報から人の行動を推定し、この推定結果と、建物２の開口部の施錠、解錠の別を表す施解錠情報とを関連付けて所定の処理を行う。つまり、施錠管理装置１および施錠管理システム１０は、電力情報と施解錠情報との２つの情報を用いることにより、人の行動と、建物２の開口部の施錠、解錠の別との関係を表示したり、両者の関係が正常か否かを判定したりすることができる。したがって、本実施形態に係る施錠管理装置１および施錠管理システム１０は、住人の操作に依らずに、外出時の施錠忘れなどを住人に知らせることができる、という利点がある。その結果、住人は、外出時に操作を怠った（あるいは忘れた）場合でも、施錠忘れ等の異常を知ることができる。
【００１７】
以下、本実施形態に係る施錠管理装置１、およびそれを用いた施錠管理システム１０について詳しく説明する。ただし、以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。
【００１８】
なお、本実施形態では、建物２としての住宅（戸建住宅）に施錠管理装置１および施錠管理システム１０が用いられる場合を例に説明する。ただし、この例に限らず、施錠管理装置１および施錠管理システム１０は、たとえば集合住宅の各住戸、事務所、店舗、工場などの建物に用いられてもよい。
【００１９】
本実施形態に係る施錠管理装置１は、図２に示すように建物２に設置されている。施錠管理装置１は、建物２に設置された分電盤６との通信機能を有している。厳密には、施錠管理装置１は、分電盤６のキャビネット６１内に収納された通信ユニット（図示せず）と通信可能に構成されている。本実施形態では一例として、施錠管理装置１は分電盤（通信ユニット）６との間で、電波を媒体とした無線通信により通信を行う。ただし、施錠管理装置１と分電盤（通信ユニット）６との通信方式は、無線通信、有線通信を問わず適宜の方式が適用可能である。
【００２０】
ここで、分電盤６のキャビネット６１内には、電気負荷３で消費されている電力値を計測する上述の計測装置５（図１参照）が収納されている。計測装置５は、通信ユニットと電気的に接続されており、計測した電力値に関する情報を電力情報として通信ユニット経由で施錠管理装置１へ出力するように構成されている。計測装置５の詳細については後述する。
【００２１】
また、施錠管理装置１は、建物２の開口部としての玄関扉２１や窓２２などに設けられた上述の検知装置４（図１参照）との通信機能を有している。検知装置４は、開口部としての玄関扉２１や窓２２の施錠と解錠との別を検知し、検知した施錠と解錠との別を施解錠情報として施錠管理装置１へ出力するように構成されている。検知装置４の詳細については後述する。本実施形態では一例として、施錠管理装置１は検知装置４との間で、電波を媒体とした無線通信により通信を行う。ただし、施錠管理装置１と検知装置４との通信方式は、無線通信、有線通信を問わず適宜の方式が適用可能である。
【００２２】
さらに、本実施形態においては、施錠管理装置１は、少なくとも表示装置７１を含む種々の機器と通信し、これらの機器を制御するコントローラとしての機能を有している。ここでいう機器はＨＥＭＳ（Home Energy Management System）対応機器である。ＨＥＭＳ対応機器は、エアコン、照明器具、給湯装置等のように、電力を消費する電気負荷３としての機器だけでなく、発電設備等の機器を含む。施錠管理装置１は、ルータ８に接続されており、たとえばＬＡＮ（Local Area Network）、あるいは電波を媒体とした無線通信などによって、（ＨＥＭＳ対応）機器との間で通信を行う。ただし、施錠管理装置１と機器との通信方式は、無線通信、有線通信を問わず適宜の方式が適用可能である。
【００２３】
さらにまた、ルータ８は、インターネットなどのネットワーク８１に接続されている。これにより、施錠管理装置１は、たとえばスマートフォン、タブレット端末、パソコン（パーソナルコンピュータ）等のネットワーク８１に接続される情報端末７２とも通信可能である。
【００２４】
上述したような構成により、施錠管理装置１は、電気負荷３で消費されている電力値を表す電力情報を計測装置５から取得可能である。そのため、施錠管理装置１は、取得した電力情報を表示装置７１や情報端末７２に表示させることにより、電力情報を可視化（見える化）したり、あるいは電力情報に基づいて（ＨＥＭＳ対応）機器を制御したりすることが可能である。
【００２５】
本実施形態に係る施錠管理システム１０（図１参照）は、上述した施錠管理装置１と、検知装置４と、計測装置５とを含んでいる。さらに、施錠管理システム１０は、表示装置７１や情報端末７２についても構成要素に含んでいてもよい。
【００２６】
なお、分電盤（通信ユニット）６、検知装置４、あるいは（ＨＥＭＳ対応）機器と、施錠管理装置１との間で行われる電波を媒体とした無線通信は、一例として、９２０ＭＨｚ帯の特定小電力無線等である。
【００２７】
次に、計測装置５の詳細について説明する。
【００２８】
本実施形態では、計測装置５は、上述したように分電盤６に設けられている。分電盤６は、複数の分岐ブレーカ（図示せず）を有しており、電力系統や発電設備、あるいは蓄電設備等からの電力を複数の分岐回路に分配するように構成されている。計測装置５は、これら複数の分岐回路の各々について電力を計測する。
【００２９】
計測装置５は、複数の分岐回路と一対一に対応する複数の電流センサ（図示せず）を有しており、各分岐回路に流れる電流の値を電流センサによって計測する。電流センサとしては、変流器（カレントトランス）、ホール素子、磁気抵抗素子、ＧＭＲ（Giant Magnetic Resistances）素子、シャント抵抗などのセンサが用いられる。一例として、ここでは電流センサは、コアを用いない（コアレスの）空芯コイルからなり、内側を通過する電流に応じた出力を生じるロゴスキコイルである。
【００３０】
また、計測装置５は、たとえば主幹ブレーカ（図示せず）の二次側において、複数の分岐回路に印加されている電圧の値（瞬時値）を電圧情報として計測する機能を有している。計測装置５は、複数の電流センサで計測された電流値と、電圧情報とに基づいて、複数の分岐回路の各々を通過する電力（瞬時電力）の値を計測値として求める。本実施形態においては、計測装置５はさらに、複数の分岐回路の各々について、瞬時電力を所定時間（たとえば５分、１０分など）に亘って積算した電力量を、計測値として求めるように構成されている。つまり、計測装置５で計測される電力値には、瞬時電力と電力量との両方が含まれている。
【００３１】
計測装置５は、複数の分岐回路の各々について計測した電力値に関する情報を電力情報とし、分電盤６内の通信ユニットを介して、施錠管理装置１へ電力情報を定期的に送信するように構成されている。
【００３２】
なお、計測装置５は、分電盤６のキャビネット６１内に収納されている構成に限らず、分電盤６とは別途設けられていてもよい。たとえば、計測装置５は、分岐回路の出力先のコンセントと電気負荷３との間に接続され、あるいは電気負荷３に組み込まれることにより、電気負荷３の消費電力を計測する構成であってもよい。 
【００３３】
次に、検知装置４の詳細について、図１を参照して説明する。
【００３４】
検知装置４は、図１に示すように、検知部４１と、（第２の）判定部４２と、通信部４３と、電池４４とを有している。図１では検知装置４は１つのみ図示されているが、検知装置４は、玄関扉２１（図２参照）や窓２２（図２参照）など複数の開口部に対応して複数設けられていてもよい。
【００３５】
検知部４１は、錠が施錠状態（閉まっている）にあるときと解錠状態（開いている）にあるときとで、電気的な状態（たとえば接点のオンオフ）が変化するセンサである。判定部４２は、検知部４１の電気的な状態の変化に基づいて、たとえば検知部４１の出力電圧が所定の閾値を超えるか否かによって施錠状態か解錠状態かを判定する。通信部４３は、判定部４２の判定結果を表す施解錠情報を、無線通信により施錠管理装置１へ送信する。検知部４１、判定部４２、および通信部４３は、電池４４を電源として動作する。
【００３６】
ここで、検知装置４は、一例として施錠状態と解錠状態とが切り替わる度に、施解錠情報を施錠管理装置１へ送信するように構成されている。ただし、この構成に限らず、検知装置４は、施解錠情報を施錠管理装置１へ定期的に送信してもよいし、施錠管理装置１からの要求信号を受けて要求信号の応答として施解錠情報を施錠管理装置１へ送信してもよい。
【００３７】
たとえば、玄関扉２１に設けられる検知装置４は、玄関扉２１の施錠と解錠との別を検知、つまり玄関扉２１の錠が施錠状態にあるか解錠状態にあるかを検知するように構成されている。この種の検知装置４は、サムターンの位置に基づいて施錠状態と解錠状態とを区別する構成であってもよいし、玄関扉２１の錠が電気錠である場合には電気錠の機能を流用して施解錠情報を出力する構成であってもよい。
【００３８】
また、窓２２に設けられる検知装置４は、窓２２の施錠と解錠との別を検知、つまり窓２２の錠が施錠状態にあるか解錠状態にあるかを検知するように構成されている。この種の検知装置４は、たとえば窓２２のクレセント錠が施錠状態にあるか解錠状態にあるかを検知するクレセントセンサなどによって実現される。
【００３９】
なお、図１に示す検知装置４は一例に過ぎず、検知装置４は、たとえば電池４４を電源として用いることは必須ではなく、商用電源から電力供給を受けて動作する構成であってもよい。
【００４０】
次に、施錠管理装置１の構成について、図１を参照して、より詳細に説明する。
【００４１】
本実施形態に係る施錠管理装置１は、上述したように第１入力部１１、第２入力部１２、推定部１３、および処理部１４を備えており、さらに第１記憶部１５および第２記憶部１６を備えている。図１の例では、施錠管理装置１は、第１回路１１０と、第２回路１２０と、処理部１４とを備えている。第１回路１１０は、第１入力部１１と第１記憶部１５とを含み、第２回路１２０は、第２入力部１２と第２記憶部１６と推定部１３とを含んでいる。
【００４２】
第１入力部１１は、検知装置４と通信することにより、施解錠情報を検知装置４から取得する。本実施形態では一例として、第１入力部１１は、施錠状態と解錠状態とが切り替わる度に、施解錠情報を検知装置４から取得（受信）するように構成されている。第１回路１１０は、第１入力部１１で取得した施解錠情報を、時系列に従って第１記憶部１５に記憶する。第１記憶部１５は、施解錠情報を、第１入力部１１が施解錠情報を取得した時刻と対応付け、所定期間（たとえば１ヵ月）に亘って記憶する。
【００４３】
第２入力部１２は、計測装置５と通信することにより、電力情報を計測装置５から取得する。本実施形態では一例として、計測装置５は、定期的に電力情報を取得（受信）するように構成されている。第２回路１２０は、第２入力部１２で取得した電力情報を、時系列に従って第２記憶部１６に記憶する。第２記憶部１６は、電力情報を、第２入力部１２が施解錠情報を取得した時刻と対応付け、所定期間（たとえば１ヵ月）に亘って記憶する。
【００４４】
推定部１３は、所定の推定条件を用いることにより、第２記憶部１６に記憶された電力情報から、所定期間における人の行動を推定する。本実施形態では、推定部１３は、少なくとも建物２内の人（住人）の在、不在を行動として推定するように構成されている。具体的には、推定部１３は、建物２内で消費されている電力値の合計値を所定の第１閾値と比較し、電力値の合計値が第１閾値を上回る状態が一定時間以上継続すれば、住人が在宅中である（「在」である）と推定する。一方、電力値の合計値が第１閾値を下回る状態が一定時間以上継続すれば、推定部１３は、住人が外出中である（「不在」である）と推定する。
【００４５】
ここで、推定部１３は、建物２内で消費されている電力値の合計値に限らず、複数の分岐回路の各々についての瞬時電力や、時間経過に伴う瞬時電力の変化パターンなどに基づいて、人の行動を推定してもよい。これにより、推定部１３は、建物２内の人の在、不在の他にも、電力情報から推定可能な各種の行動を推定可能に構成されている。推定部１３は、たとえば浴室の設備の電力の消費状態から住人が入浴中であることを推定したり、寝室の設備の電力の消費状態から住人が就寝中であることを推定したりすることができる。さらに、子供がいる家庭においては、子供部屋の電力の消費状態から、推定部１３は、子供だけで留守番中であることを推定することも可能である。
【００４６】
推定部１３は、このように建物２内の人の行動パターンを推定する機能を有していればよく、家族構成を特定したり、過去の行動パターンを分析したりすることにより、行動パターンの推定精度を高めた構成であってもよい。推定部１３は、推定した人の行動を処理部１４へ出力するように構成されている。
【００４７】
処理部１４は、提示部１４１と、（第１の）判定部１４２と、第３記憶部１４３とを有している。処理部１４は、第１回路１１０からは施解錠情報を取得し、第２回路１２０からは推定部１３の推定結果を取得する。
【００４８】
本実施形態では、判定部１４２は、推定部１３の推定結果と施解錠情報との組み合わせが、特定の組み合わせに該当するか否かを判定するように構成されている。ここでいう特定の組み合わせは、複数の組み合わせを含んでおり、第３記憶部１４３に予め記憶されている。
【００４９】
提示部１４１は、判定部１４２の判定結果を住人に提示（報知）するように構成されている。ここでは、提示部１４１は、表示装置７１との通信により、判定部１４２の判定結果を表示装置７１に表示する。さらに、施錠管理装置１は、上述したようにルータ８（図２参照）を介してネットワーク８１に接続されているので、提示部１４１は、ネットワーク８１に接続された情報端末７２に対しても判定部１４２の判定結果を表示することができる。これにより、住人は、建物２内にいるときだけでなく外出中であっても、施錠管理装置１からの報知を受けることが可能である。提示部１４１による報知先は予め登録可能であって、提示部１４１は、複数の報知先に一斉に報知することも可能である。
【００５０】
本実施形態では、特定の組み合わせの一例として、処理部１４は、「不在」を表す推定結果と「解錠」を表す施解錠情報との組み合わせを第３記憶部１４３に記憶している。処理部１４は、推定部１３の推定結果が「不在」を表しており、且つ施解錠情報が「解錠」を表している場合には、推定部１３の推定結果と施解錠情報との組み合わせが特定の組み合わせに該当すると判定して、報知を行うように構成されている。すなわち、推定部１３の推定結果が「不在」で施解錠情報が「解錠」である場合、住人が外出する際に施錠し忘れた可能性があるので、判定部１４２は、このような場合に特定の組み合わせに該当すると判定する。施錠管理装置１は、このような場合に判定結果を報知することにより、住人が外出する際に施錠し忘れた可能性があれば、そのことを異常として住人に知らせることができる。
【００５１】
なお、提示部１４１は、上述のように推定部１３の推定結果と施解錠情報との組み合わせが特定の組み合わせに該当する場合、判定部１４２の判定結果として、たとえば異常であることのみを報知してもよい。あるいは、提示部１４１は、判定部１４２の判定結果として、推定部１３の推定結果（「不在」）および施解錠情報（「解錠」）を報知してもよい。
【００５２】
また、第３記憶部１４３は、推定部１３の推定結果と施解錠情報とを時系列に従って記憶する記憶部としても機能する。つまり、処理部１４は、第１回路１１０から取得した施解錠情報、および第２回路１２０から取得した推定部１３の推定結果を、取得した時刻と対応付け、所定期間（たとえば１ヵ月）に亘って第３記憶部１４３に記憶する。
【００５３】
本実施形態では、処理部１４は、記憶部としての第３記憶部１４３に記憶されている所定期間の推定部１３の推定結果、および施解錠情報の履歴を関連付けて出力するように構成されている。具体的には、提示部１４１は、第３記憶部１４３に記憶されている所定期間の推定部１３の推定結果、および施解錠情報の履歴を互いに関連付けて、表示装置７１あるいは情報端末７２に表示するように構成されている。
【００５４】
推定部１３および処理部１４は、本実施形態においてはマイコン（マイクロコンピュータ）を主構成とし、所定のプログラムを実行することによって、上述したような機能を実現する。プログラムは、電気通信回線を通じて提供されてもよいし、メモリカードなどの記憶媒体に記憶されて提供されてもよい。
【００５５】
次に、上記構成の施錠管理装置１の動作について、図３および図４を参照して説明する。図３および図４は、横軸を時間軸として、上から順に電力情報、推定部１３の推定結果、玄関扉２１の施解錠情報を表している。電力情報は、複数の分岐回路の各々について縦軸を電力値とするグラフ形式で表されている。
【００５６】
まず、図３の例について説明する。図３では、時刻ｔ１〜ｔ２までの期間、および時刻ｔ３〜ｔ４までの期間に住人が外出して不在であった場合を例示する。さらに図３の例では、時刻ｔ３〜ｔ４までの期間に、住人が玄関扉２１を施錠し忘れたまま外出した場合を想定している。
【００５７】
図３の例において、推定部１３は、電力情報に基づいて、人の行動（建物２内の人の在、不在）を推定する。これにより、推定部１３の推定結果は、時刻ｔ１〜ｔ２までの期間、および時刻ｔ３〜ｔ４までの期間に「不在」となり、それ以外の期間、つまり時刻ｔ１以前の期間、時刻ｔ２〜ｔ３の期間、および時刻ｔ４以降の期間については「在」となる。一方、図３の例では、施解錠情報は、時刻ｔ１から一定時間の間、および時刻ｔ２以降の期間に「解錠」となり、それ以外の期間、つまり時刻ｔ１以前の期間、および時刻ｔ１から一定時間経過した時点から時刻ｔ２までの期間については「施錠」である。
【００５８】
したがって、時刻ｔ３〜ｔ４の期間においては、推定部１３の推定結果が「不在」であるにもかかわらず施解錠情報が「解錠」であるため、処理部１４は、推定部１３の推定結果と施解錠情報との組み合わせが特定の組み合わせに該当すると判定し、報知を行う。これにより、施錠管理装置１は、住人が外出する際に玄関扉２１を施錠し忘れた可能性があることを、住人に知らせることができる。
【００５９】
また、図３の例では、時刻ｔ１から一定時間の間に、施解錠情報が「解錠」となるが、これは、住人が外出する際、自らが外に出るために玄関扉２１を一時的に解錠したことに伴っており、本来的な「解錠」とは異なる。そのため、施錠管理装置１は、推定部１３の推定結果が「在」から「不在」に変化した直後の一定時間については、施解錠情報が「解錠」であったとしても、判定結果の報知を行わない不感期間とすることが好ましい。
【００６０】
次に、図４の例について説明する。図４では、時刻ｔ１１〜ｔ１２までの期間、および時刻ｔ１３〜ｔ１６までの期間に住人が外出して不在であった場合を例示する。さらに図４の例では、時刻ｔ１４〜ｔ１５までの期間、玄関扉２１が一時的に解錠された場合を想定している。
【００６１】
図４の例では、推定部１３の推定結果は、時刻ｔ１１〜ｔ１２までの期間、および時刻ｔ１３〜ｔ１６までの期間に「不在」となり、それ以外の期間、つまり時刻ｔ１１以前の期間、時刻ｔ１２〜ｔ１３の期間、および時刻ｔ１６以降の期間に「在」となる。一方、図４の例では、施解錠情報は、時刻ｔ１１から一定時間の間、時刻ｔ１２〜ｔ１３の期間、時刻ｔ１４〜ｔ１５の期間、および時刻ｔ１６以降の期間に「解錠」となる。それ以外の期間、つまり時刻ｔ１１以前の期間、時刻ｔ１１から一定時間経過した時点から時刻ｔ１２までの期間、時刻ｔ１３〜ｔ１４の期間、時刻ｔ１５〜ｔ１６の期間については、施解錠情報は「施錠」である。
【００６２】
したがって、時刻ｔ１４〜ｔ１５の期間には、推定部１３の推定結果が「不在」であるにもかかわらず施解錠情報が「解錠」であるため、処理部１４は、推定部１３の推定結果と施解錠情報との組み合わせが特定の組み合わせに該当すると判定し、報知を行う。これにより、施錠管理装置１は、住人が不在の間に何者かによって玄関扉２１が一時的に解錠された可能性があることを、住人に知らせることができる。
【００６３】
また、図４の例であっても、図３の例と同様に、時刻ｔ１１から一定時間の間に、施解錠情報が「解錠」となるが、これは、住人が外出する際、自らが外に出るために玄関扉２１を一時的に解錠したことに伴っており、本来的な「解錠」とは異なる。そのため、施錠管理装置１は、推定部１３の推定結果が「在」から「不在」に変化した直後の一定時間については、施解錠情報が「解錠」であったとしても、判定結果の報知を行わない不感期間とすることが好ましい。
【００６４】
ところで、本実施形態に係る施錠管理装置１は、上述したような報知をリアルタイムで行うだけでなく、たとえば住人の帰宅後に、第３記憶部１４３に記憶されている推定部１３の推定結果、および施解錠情報の履歴を互いに関連付けて出力（表示）してもよい。つまり、本実施形態に係る施錠管理装置１は、上述したように第３記憶部１４３は推定部１３の推定結果と施解錠情報の履歴を記憶しているので、この履歴を事後的に表示装置７１あるいは情報端末７２に表示することが可能である。
【００６５】
この場合、施錠管理装置１は、表示装置７１あるいは情報端末７２に対し、たとえば図３および図４に示すように、推定部１３の推定結果、および玄関扉２１の施解錠情報を、並べて表示することが好ましい。これにより、住人は、帰宅後に表示装置７１あるいは情報端末７２を確認することによって、外出中（「不在」の期間）の施解錠情報の異常の有無を確認することができる。
【００６６】
以上説明した本実施形態の施錠管理装置１によれば、電気負荷３で消費されている電力値に関する電力情報から人の行動を推定し、この推定結果と、建物２の開口部（玄関扉２１等）の施錠、解錠の別を表す施解錠情報とを関連付けて所定の処理を行う。つまり、施錠管理装置１は、電力情報と施解錠情報との２つの情報を用いることにより、人の行動と、建物２の開口部の施錠、解錠の別との関係を表示したり、両者の関係が正常か否かを判定したりすることができる。
【００６７】
したがって、本実施形態に係る施錠管理装置１、およびそれを用いた施錠管理システム１０は、住人の操作に依らずに、外出時の施錠忘れなどを住人に知らせることができる、という利点がある。その結果、住人は、外出時に操作を怠った（あるいは忘れた）場合でも、施錠忘れなどを知ることができる。
【００６８】
また、処理部１４は、本実施形態のように、推定部１３の推定結果と上記施解錠情報との組み合わせが、特定の組み合わせに該当するか否かを判定するように構成されていることが好ましい。この構成によれば、たとえば上述した外出時の施錠忘れなどの状態を特定の組み合わせとすることで、施錠管理装置１は、外出時の施錠忘れなどの異常の有無を自動的に判定できるという利点がある。ただし、この構成は必須の構成ではなく、処理部１４は、単に推定部１３の推定結果と施解錠情報とを並べて表示する処理を行ってもよい。
【００６９】
さらにこの場合、推定部１３は、本実施形態のように、少なくとも建物２内の人の在、不在を上記行動として推定していることが好ましい。この場合、処理部１４は、推定部１３の推定結果が不在を表しており、且つ上記施解錠情報が解錠を表している場合には、推定部１３の推定結果と上記施解錠情報との組み合わせが上記特定の組み合わせに該当すると判定して、報知を行うことが望ましい。
【００７０】
この構成によれば、施錠管理装置１は、上述したような外出時の施錠忘れや、住人が不在の間に玄関扉２１が一時的に解錠された場合等の異常の発生時に、自動的に報知を行うことができる。したがって、住人は、これらの異常の発生を迅速に知ることができ、迅速な対策をとることが可能である。ただし、この構成は必須の構成ではなく、この構成を採用するか否かは任意である。
【００７１】
また、施錠管理装置１は、本実施形態のように、推定部１３の推定結果と上記施解錠情報とを時系列に従って記憶する記憶部（第３記憶部１４３）をさらに備えることが好ましい。この構成によれば、施錠管理装置１は、記憶部に記憶可能な範囲で、推定部１３の推定結果および上記施解錠情報の履歴を残しておくことが可能である。ただし、この構成は必須の構成ではなく、この構成を採用するか否かは任意である。
【００７２】
さらにこの場合、処理部１４は、記憶部（第３記憶部１４３）に記憶されている所定期間の推定部１３の推定結果および上記施解錠情報の履歴を関連付けて出力するように構成されていることが好ましい。この構成によれば、住人は、推定部１３の推定結果と上記施解錠情報とを事後的に確認することができ、たとえば帰宅後に外出中の建物２の状況を確認することができる。ただし、この構成は必須の構成ではなく、この構成を採用するか否かは任意である。
【００７３】
ところで、上記構成の施錠管理装置１において、判定部１４２が、どのような推定部１３の推定結果と施解錠情報との組み合わせを、特定の組み合わせに該当すると判定するかは、住人が任意に設定可能である。住人は、たとえば情報端末７２を操作することにより、特定の組み合わせを任意に設定することができる。
【００７４】
たとえば、住人の外出中だけでなく住人の在宅中であっても玄関扉２１の施錠忘れ等を報知する場合には、特定の組み合わせは、「不在」および「在」を表す推定結果と玄関扉２１の「解錠」を表す施解錠情報との組み合わせであればよい。これにより、施錠管理装置１は、住人の在宅中であっても、玄関扉２１が施錠されていない、あるいは玄関扉２１が解錠された場合、特定の組み合わせに該当すると判定し、報知することが可能である。
【００７５】
また、他の例として、住人の入浴中や就寝中における玄関扉２１の施錠忘れ等を報知する場合には、特定の組み合わせは、「入浴中」や「就寝中」を表す推定結果と玄関扉２１の「解錠」を表す施解錠情報との組み合わせであればよい。これにより、施錠管理装置１は、住人の在宅中であっても、住人が「入浴中」や「就寝中」と推定される状態で、玄関扉２１の施錠忘れが生じたり、玄関扉２１が解錠されたりした場合、特定の組み合わせに該当すると判定し、報知することが可能である。
【００７６】
さらにまた、子供がいる家庭において、子供だけで留守番中に玄関扉２１の施錠忘れ等を報知する場合には、特定の組み合わせは、「子供だけで留守番中」を表す推定結果と玄関扉２１の「解錠」を表す施解錠情報との組み合わせであればよい。これにより、施錠管理装置１は、子供だけで留守番中であると推定される状態で、玄関扉２１が施錠されていない、あるいは玄関扉２１が解錠された場合、特定の組み合わせに該当すると判定し、報知することが可能である。
【００７７】
なお、特定の組み合わせは、「施錠」を表す施解錠情報と、推定部１３の推定結果との組み合わせであってもよい。
【００７８】
（実施形態２）
本実施形態に係る施錠管理装置１は、図５に示すように、第１入力部１１および第２入力部１２を含むローカル装置９１と、推定部１３を含むセンタ装置９２とに分かれている点で、実施形態１に記載の施錠管理装置１と相違する。ローカル装置９１とセンタ装置９２とは、ネットワーク８１を介して通信可能に構成されている。以下、実施形態１と同様の構成については、共通の符号を付して適宜説明を省略する。
【００７９】
本実施形態において、ローカル装置９１は、たとえば実施形態１の施錠管理装置１と同様に建物２内に設置され、インターネットなどのネットワーク８１に接続される装置である。ローカル装置９１は、第１回路１１０および第２回路１２０に加えて、ルータ８（図２参照）に接続される第１通信インタフェース（以下、「インタフェース」を「Ｉ／Ｆ」という）９１１を有しており、ルータ８を介して、ネットワーク８１に接続可能である。したがって、ローカル装置９１は、建物２内に設置された表示装置７１、およびネットワーク８１に接続された情報端末７２と通信可能である。なお、本実施形態において、推定部１３は第２回路１２０から省略されている。
【００８０】
センタ装置９２は、たとえば建物２外に設置されたセンタサーバであって、ネットワーク８１に接続されている。センタ装置９２は、推定部１３および処理部１４に加えて、第１蓄積部９２１、第２蓄積部９２２、第２通信Ｉ／Ｆ９２３を有している。第２通信Ｉ／Ｆ９２３はネットワーク８１に接続されており、センタ装置９２は、ネットワーク８１に接続されたローカル装置９１および情報端末７２と通信可能に構成されている。第１蓄積部９２１は、ローカル装置９１の第１回路１１０から送信される施解錠情報を蓄積（記憶）する。第２蓄積部９２２は、ローカル装置９１の第２回路１２０から送信される電力情報を蓄積（記憶）する。
【００８１】
本実施形態では、推定部１３は、第２蓄積部９２２に蓄積された電力情報に基づいて、人の行動を推定する。また、処理部１４は、第１蓄積部９２１からは施解錠情報を取得し、推定部１３からは推定結果を取得して、推定部１３の推定結果と上記施解錠情報とを関連付けて所定の処理を行うように構成されている。
【００８２】
提示部１４１は、判定部１４２の判定結果を住人に提示（報知）するように構成されている。ここでは、提示部１４１は、ネットワーク８１に接続されている情報端末７２との通信により、判定部１４２の判定結果を情報端末７２に表示する。さらに、提示部１４１は、ローカル装置９１との通信により、ルータ８に接続された表示装置７１に対しても判定部１４２の判定結果を表示することができる。これにより、住人は、建物２内にいるときだけでなく外出中であっても、施錠管理装置１からの報知を受けることが可能である。
【００８３】
なお、図５の例では、１台のセンタ装置９２に１台のローカル装置９１が接続されている構成を示しているが、この例に限らず、１台のセンタ装置９２に複数台のローカル装置９１が接続されていてもよい。
【００８４】
以上説明した本実施形態の構成によれば、施錠管理装置１は、人の行動を推定する処理については、ローカル装置９１でなくセンタ装置９２で行うことになるので、ローカル装置９１の処理負荷を低減することが可能である。
【００８５】
その他の構成および機能は実施形態１と同様である。
【符号の説明】
【００８６】
１  施錠管理装置
２  建物
２１  玄関扉（開口部）
２２  窓（開口部）
１０  施錠管理システム
１１  第１入力部
１２  第２入力部
１３  推定部
１４  処理部
１４３  第３記憶部（記憶部）
４  検知装置
８１  ネットワーク
９１  ローカル装置
９２  センタ装置
【図１】
2016051404.tif 000003
【図２】
2016051404.tif 000004
【図３】
2016051404.tif 000005
【図４】
2016051404.tif 000006
【図５】
2016051404.tif 000007